(57)【要約】【課題】とっさの判断に応じて迅速かつ容易に自分撮りを行うことができる撮像装置を提供する。【解決手段】光学系を介して撮像した画像を光電変換することによって電子的な画像データを生成する撮像部と、前記光学系の一部が表出する面の裏側に位置する面に設けられ、前記撮像部が生成した画像データに対応する画像を表示する表示部と、前記表示部の表面または内部に設けられ、前記表示部への外部からの接触を検知する接触検知部と、前記接触検知部が検知した接触の発生領域に関する情報を含む接触状態を検出する接触状態検出部と、前記接触状態検出部が検出した接触状態が所定時間継続している場合、前記撮像部による撮影の動作モードを、前記接触の発生領域の変化に基づいて画像の撮影を行う接触撮影モードに設定するモード設定部と、前記撮像部における撮影動作を制御する制御部と、を備える。【選択図】        図１
2010171538.tif 000002
【特許請求の範囲】
【請求項１】
光学系を介して撮像した画像を光電変換することによって電子的な画像データを生成する撮像部と、
前記光学系の一部が表出する面の裏側に位置する面に設けられ、前記撮像部が生成した画像データに対応する画像を表示する表示部と、
前記表示部の表面または内部に設けられ、前記表示部への外部からの接触を検知する接触検知部と、
前記接触検知部が検知した接触の発生領域に関する情報を含む接触状態を検出する接触状態検出部と、
前記接触状態検出部が検出した接触状態が所定時間継続している場合、前記撮像部による撮影の動作モードを、前記接触の発生領域の変化に基づいて画像の撮影を行う接触撮影モードに設定するモード設定部と、
前記撮像部における撮影動作を前記モード設定部が設定した動作モードにしたがって制御する制御部と、
を備えたことを特徴とする撮像装置。
【請求項２】
前記接触の発生領域の変化は、
該発生領域の面積の変化または該発生領域の形状の変化を含むことを特徴とする請求項１に記載の撮像装置。
【請求項３】
前記撮像部が撮像した画像に含まれる人物の顔を検出する顔検出部をさらに備え、
前記制御部は、
前記顔検出部が検出した顔にピントを合わせる制御を行うことを特徴とする請求項１または２に記載の撮像装置。
【請求項４】
前記光学系が表出する面に設けられ、前記接触撮影モードに設定されていることを報知する報知部をさらに備えたことを特徴とする請求項１〜３のいずれか一項に記載の撮像装置。
【請求項５】
前記接触検知部は、
前記表示部の表面に積層して設けられた抵抗膜方式のタッチパネルであることを特徴とする請求項１〜４のいずれか一項に記載の撮像装置。
【請求項６】
前記表示部は、
液晶および複数の画素を積層してなる液晶部と、
前記液晶部に光を照射するバックライトと、
を有し、
前記接触検知部は、
前記液晶部の内部に設けられ、前記バックライトによる照射光の前記表示部の外部からの反射光をそれぞれ検出する複数の光センサを有することを特徴とする請求項１〜４のいずれか一項に記載の撮像装置。
【発明の詳細な説明】
【技術分野】
【０００１】
本発明は、画像を撮像して該画像の電子的な画像データを生成する撮像装置に関する。
【背景技術】
【０００２】
近年、インターネット上でブログを開設し、自分の日常生活を公開する人が増えてきている。ブログでは写真が欠かすことのできない構成要素となっており、ブログの作成者本人が自分を被写体として自分自身で撮影した写真を載せるケースも多い。図２１は、撮影者が自分自身を撮影する場合に撮影者から見た撮像装置の状態を示す図である。自分撮りを行う場合、撮影者は通常撮影時に使用しない左手１０１Ｌで撮像装置３０１を把持し、レリーズボタン３０２を押下しなければならない。このため、撮影者は、不慣れな状態で撮影しなければならず、通常の撮影を行う場合と比較して手ブレを引き起こしたり、左手１０１Ｌで撮影レンズ３０３やフラッシュ３０４を覆ってしまったりする可能性が高かった。
【０００３】
このような状況を改善して自分撮りを容易に行うことを可能にするための技術として、通常の撮影モードとは別に、自分撮り用の撮影モードを設定する技術が知られている（例えば、特許文献１および２を参照）。
【０００４】
【特許文献１】特開２００３−２２４７６１号公報
【特許文献２】特開２００７−３６４９２号公報
【発明の開示】
【発明が解決しようとする課題】
【０００５】
ところで、自分撮りを行う場合には、とっさの判断ですぐに撮影を行いたい場合がある。しかしながら、上述した特許文献１、２に記載の従来技術では、自分撮り用の撮影モードを設定するためにモード設定用のボタンを操作しなければならず、撮影モードを切り換えて撮影可能な状態に達するまでに時間がかかり、シャッターチャンスを逃してしまう場合があった。
【０００６】
本発明は、上記に鑑みてなされたものであって、とっさの判断に応じて迅速かつ容易に自分撮りを行うことができる撮像装置を提供することを目的とする。
【課題を解決するための手段】
【０００７】
上述した課題を解決し、目的を達成するために、本発明に係る撮像装置は、光学系を介して撮像した画像を光電変換することによって電子的な画像データを生成する撮像部と、前記光学系の一部が表出する面の裏側に位置する面に設けられ、前記撮像部が生成した画像データに対応する画像を表示する表示部と、前記表示部の表面または内部に設けられ、前記表示部への外部からの接触を検知する接触検知部と、前記接触検知部が検知した接触の発生領域に関する情報を含む接触状態を検出する接触状態検出部と、前記接触状態検出部が検出した接触状態が所定時間継続している場合、前記撮像部による撮影の動作モードを、前記接触の発生領域の変化に基づいて画像の撮影を行う接触撮影モードに設定するモード設定部と、前記撮像部における撮影動作を前記モード設定部が設定した動作モードにしたがって制御する制御部と、を備えたことを特徴とする。
【０００８】
また、本発明に係る撮像装置は、上記発明において、前記接触の発生領域の変化は、  該発生領域の面積の変化または該発生領域の形状の変化を含むことを特徴とする。
【０００９】
また、本発明に係る撮像装置は、上記発明において、前記撮像部が撮像した画像に含まれる人物の顔を検出する顔検出部をさらに備え、前記制御部は、前記顔検出部が検出した顔にピントを合わせる制御を行うことを特徴とする。
【００１０】
また、本発明に係る撮像装置は、上記発明において、前記光学系が表出する面に設けられ、前記接触撮影モードに設定されていることを報知する報知部をさらに備えたことを特徴とする。
【００１１】
また、本発明に係る撮像装置は、上記発明において、前記接触検知部は、前記表示部の表面に積層して設けられた抵抗膜方式のタッチパネルであることを特徴とする。
【００１２】
また、本発明に係る撮像装置は、上記発明において、前記表示部は、液晶および複数の画素を積層してなる液晶部と、前記液晶部に光を照射するバックライトと、を有し、前記接触検知部は、前記液晶部の内部に設けられ、前記バックライトによる照射光の前記表示部の外部からの反射光をそれぞれ検出する複数の光センサを有することを特徴とする。
【発明の効果】
【００１３】
本発明によれば、撮像部の光学系の一部が表出する面と反対側に位置する面に設けられた表示部に指などを接触させることにより、その表示部上での接触の発生領域の変化に基づいて撮影動作を行う接触撮影モードへ切り換えられるため、撮影者は表示部に接触しさえすれば接触撮影モードへの切換を行うことができる。また、接触撮影モードでは、撮像部を自分自身に向けた状態で表示部に接触する領域を変化させるだけで撮影を行うことができる。したがって、とっさの判断に応じて迅速かつ容易に自分撮りを行うことが可能となる。
【発明を実施するための最良の形態】
【００１４】
以下、添付図面を参照して本発明を実施するための最良の形態（以後、「実施の形態」と称する）を説明する。
【００１５】
（実施の形態１）
図１は、本発明の実施の形態１に係る撮像装置の構成を示すブロック図である。図２は、本実施の形態１に係る撮像装置の前面側の構成を示す斜視図である。図３は、本実施の形態１に係る撮像装置の背面側の構成を示す斜視図である。
【００１６】
図１〜図３に示す撮像装置１は、画像を撮像し、この画像の電子的な画像データを生成する撮像部２と、撮像部２が生成した画像データに対して画像処理を施す画像処理部３と、画像処理部３で処理が施された画像データに対応する画像を表示する表示部４と、明るさを含む撮像部２の視野領域の状態を検知するセンサ部５と、撮像装置１の表面に設けられた各種ボタンからなり、操作信号等の入力を受け付ける入力ボタン６と、表示部４に積層して設けられ、外部からの接触を検知する接触検知部としてのタッチパネル７と、タッチパネル７で検知した接触の発生領域に関する情報を含む接触状態を検出する接触状態検出部８と、入力ボタン６による入力や接触状態検出部８の検出結果に基づいて撮像装置１が行う動作モードを設定するモード設定部９と、ＬＥＤ（Light Emitting Diode）を用いて実現され、撮像装置１が所定の撮影モード（後述する接触撮影モード）に設定されていることを少なくとも報知する報知部１０と、撮影日時の判定機能やタイマー機能を有する時計１１と、撮像部２の視野領域へ補助光を投射する補助光投射部１２と、撮像部２が撮影した画像データを含む各種情報を記憶する記憶部１３と、入力ボタン６やタッチパネル７から入力される操作信号などに応じて撮像装置１の動作を制御する制御部１４と、を備える。
【００１７】
撮像部２は、一または複数のレンズによって構成され、所定の視野領域に存在する被写体からの光を集光する光学系と、光学系が集光した光の入射量を調整する絞りと、レリーズ入力に応じて動作するシャッタと、絞りおよびシャッタを通過した光を受光して電気信号に変換するＣＣＤ（Charge Coupled Device）等の撮像素子と、撮像素子から出力されるアナログ信号に増幅やホワイトバランス等の信号処理を施した後、Ａ／Ｄ変換を行うことによってデジタルの画像データを生成する信号処理回路とを有する。
【００１８】
画像処理部３は、撮像部２が生成した画像データに含まれる人物の顔をパターンマッチングによって検出する顔検出部３１を有する。顔検出部３１は、記憶部１３が記憶している顔のパターン情報を用いてパターンマッチングを行うことにより、スルー画像中の人物の顔の有無を検出する。
【００１９】
表示部４は、撮像部２の光学系が表出する面（前面）の裏側に位置する面（背面）に設けられ、画像データのほかに撮像装置１の操作情報や撮影に関する情報を適宜表示する。表示部４は、液晶、プラズマまたは有機ＥＬ（Electro Luminescence）等からなる表示パネルを用いて実現される。
【００２０】
入力ボタン６は、レリーズ信号を入力するレリーズボタン６ａと、各種操作信号を入力する十字キー６ｂとを有する。
【００２１】
タッチパネル７は、２枚の透明抵抗膜を用いて実現される抵抗膜方式のうちアナログ方式を用いて実現される。図４は、タッチパネル７の要部の構成を模式的に示す断面図である。同図に示すタッチパネル７は、表示部４の表面と同形の矩形状の表面をなす上部基板７１と、上部基板７１と同じ矩形状の表面を有し、上部基板７１と平行に配置される下部基板７２と、上部基板７１の表面のうち下部基板７２の表面と対向する表面の略全面にわたって設けられる透明抵抗膜７３と、下部基板７２の表面のうち上部基板７１の表面と対向する表面の略全面にわたって設けられる透明抵抗膜７４と、透明抵抗膜７３、７４の間に透明抵抗膜７３、７４の縁端部に沿って設けられ、両者を所定の間隔だけ離間させた状態で配置する絶縁性のスペーサ７５と、透明抵抗膜７４の表面に複数個設けられ、外部からの不慮の接触による誤作動を防止する絶縁性のドットスペーサ７６とを有する。透明抵抗膜７３の縁端部のうち対向する一対の縁端部には帯状の電極７７が設けられている。また、透明抵抗膜７４の縁端部のうち対向する一対の縁端部であって電極７７が設けられる縁端部とは直交する縁端部には帯状の電極７８（図示せず）が設けられている。
【００２２】
上部基板７１はＰＥＴ（Polyethylene Terephthalate）等のように可撓性を有する材料からなる一方、下部基板７２はガラス等の材料からなる。また、透明抵抗膜７３、７４は、酸化インジウムスズの薄膜（ＩＴＯ膜）を用いて実現される。
【００２３】
図５は、タッチパネル７における接触位置の検知処理の概要を説明する図である。タッチパネル７は、透明抵抗膜７３、７４のいずれか一方に対して電源２０１から電圧が印加される状態を短い時間で交互に繰り返す。具体的には、図５の上方に示す状態において、電源２０１は一対の電極７７を介して透明抵抗膜７３へ電圧を印加する。一方、図５の下方に示す状態において、電源２０１は一対の電極７８を介して透明抵抗膜７４へ電圧を印加する。図５では、透明抵抗膜７３の点Ｐ１に外部から押圧があった場合を示している。この場合、点Ｐ１の直下に位置する透明抵抗膜７４の点Ｐ２は、外部からの押圧によって点Ｐ１と接触する。この接触により、透明抵抗膜７３、７４は導通する。なお、図５に示す２つの状態の切換は、回路中に適宜スイッチを設けることによって実現される。
【００２４】
図５の上方に示す状態において、接触状態検出部８は、電圧計２０２の測定値を用いることによって点Ｐ１（Ｐ２）のｘ軸方向の座標を算出する。また、図５の下方に示す状態において、接触状態検出部８は、電圧計２０２の測定値を用いることによって点Ｐ２（Ｐ１）のｙ軸方向の座標を算出する。このようにして、タッチパネル７における接触位置は、タッチパネル７の表面すなわち表示部４の表面と平行な２次元面上の座標として求められる。なお、電圧計２０２の内部抵抗は、透明抵抗膜７３、７４の内部抵抗を無視できる程度に大きい。
【００２５】
ところで、タッチパネル７はドットスペーサ７６を有しているため、タッチパネル７が外部からの接触を検知するためには、タッチパネル７の表面に対してある程度の大きさの圧力を加える必要がある。この圧力の大きさの閾値は、撮影者が撮像装置１を把持する際に撮影者の手から撮像装置１に加えられる圧力と同程度の値として設定されることが望ましい。以下の説明においては、タッチパネル７の表面に上述した閾値よりも大きい圧力が加えられて接触している場合を単に「接触」という。
【００２６】
モード設定部９は、撮像装置１の動作モードとして、画像を撮影する撮影モードと、撮影済み画像を表示部４で再生表示する再生モードとを少なくとも設定することができる。このうち、撮影モードとしては、「通常撮影モード」および「接触撮影モード」の２種類を設定することができる。これら２種類の撮影モードの違いはレリーズ信号の入力方法にある。すなわち、通常撮影モードはレリーズボタン６ａを押下することによってレリーズ信号の入力を行うモードである一方、接触撮影モードは表示部４（タッチパネル７）との接触態様を変化させることによってレリーズ信号の入力を行うモードである。
【００２７】
記憶部１３は、撮像部２が撮影し、画像処理部３によって処理が施された撮影済みの画像データを記憶する画像データ記憶部１３１と、顔検出部３１がパターンマッチングによって顔を検出する際に参照する顔のパターンを記憶するパターン情報記憶部１３２と、撮像装置１が実行する各種プログラムを記憶するプログラム記憶部１３３とを有する。記憶部１３は、撮像装置１の内部に固定的に設けられるフラッシュメモリやＲＡＭ（Random Access Memory）等の半導体メモリを用いて実現される。なお、記憶部１３に、外部から装着されるメモリカード等の記録媒体に対して情報を記録する一方、記録媒体が記録する情報を読み出す記録媒体インターフェースとしての機能を具備させてもよい。
【００２８】
制御部１４は、ＭＰＵ（Micro Processing Unit）等を用いて実現され、制御対象である撮像装置１の各構成部位とバスラインを介して接続されている。
【００２９】
図６は、以上の構成を有する撮像装置１を接触撮影モードに設定して自分撮りを行う状況を示す図である。また、図７は、図６に示す状況を撮影者から見た図である。自分撮りを行う撮影者１００は、撮像部２のレンズを自分の顔の方へ向けた状態で撮像装置１を右手１０１Ｒによって把持する。この際、撮像装置１の背面側で支持する指の少なくとも一部がタッチパネル７の表面と接触するようにする。この意味で、表示部４の面積が大きければ大きいほど、撮影者１００は表示部４へ指を容易に接触させることができる。
【００３０】
図８は、撮影者１００の指ｆがタッチパネル７を押圧することによって透明抵抗膜７３、７４が接触した状態を示す部分断面図である。図８に示す状態で撮影者１００はタッチパネル７の表面を指ｆで押圧しているため、上部基板７１および透明抵抗膜７３が変形して透明抵抗膜７４と接触する。接触状態検出部８は、この状態での電圧計２０２の測定値の変化（電圧変化）に基づいて接触状態を検出する。この接触状態が所定時間継続した場合、モード設定部９は撮像装置１の動作モードを接触撮影モードに設定する。撮像装置１が接触撮影モードに設定された場合、報知部１０は所定のパターンで点灯することによって接触撮影モードに設定されていることを報知する。
【００３１】
この後、撮影者１００がさらに強く表示部４の表面を押圧すると、図９に示すように上部基板７１および透明抵抗膜７３がさらに変形する。その際、接触状態検出部８は、電圧計２０２からの出力の変化によって接触の発生領域の面積の増加を検出する。接触状態検出部８が検出した接触の発生領域の面積の増加量が所定値よりも大きい場合、制御部１４はレリーズ信号が入力されたものと判定し、撮像部２は画像の撮影を行わせる。制御部１４がレリーズ信号の入力を判定する際の基準となる接触の発生領域の面積の増加量の所定値は、撮影者１００が撮像装置１を把持している状態から意識的に強く押圧しなければ撮影できない程度の変化に相当するものとして設定されるのが望ましい。
【００３２】
ところで、撮影者１００が接触撮影モードに設定した撮像装置１の持ち方は、図６および図７に示すものに限られるわけではない。例えば、図１０に示すように、撮像装置１の側面部から右手１０１Ｒで把持してもよい。また、図１１に示すように、撮像装置１の底面部から左手１０１Ｌで把持してもよい。
【００３３】
このように、本実施の形態１においては、撮影者１００が自分撮りを行う際の撮像装置１の持ち方の自由度が大きく、不自然な体勢で撮像装置１を持たないで済む。その結果、撮影者１００が自分撮りを行う際に手ブレを生じたり、指ｆで撮像部２や補助光投射部１２を覆ってしまうようなことがない。また、撮像装置１では、図１２に示すように、従来の撮像装置３０１よりも撮影者１００までの距離を遠くして撮影することができるため、撮影者１００が自分撮りを行う際のアングルの選択の自由度が大きくなり、背景も含めて多様な構図で自分撮りを行うことができる。
【００３４】
図１３は、撮像装置１が接触撮影モードによる撮影を行う場合の処理の概要を示すフローチャートである。図１３では、撮像装置１が初期状態として通常撮影モードに設定されているものとする。
【００３５】
図１３において、まず表示部４が、撮像部２が撮像している画像（スルー画像）を表示する（ステップＳ１）。続いて、制御部１４は、スルー画像に対するピントを自動的に調整する（ステップＳ２）。
【００３６】
この後、タッチパネル７への外部からの接触があり（ステップＳ３：Ｙｅｓ）、かつその接触が所定時間継続した場合（ステップＳ４：Ｙｅｓ）、モード設定部９は、撮像装置１の動作モードを接触撮影モードへ切り換える（ステップＳ５）。これに対し、タッチパネル７への外部からの接触があり（ステップＳ３：Ｙｅｓ）、かつその接触が所定時間継続していない場合（ステップＳ４：Ｎｏ）、撮像装置１はステップＳ３に戻る。
【００３７】
ステップＳ３においてタッチパネル７への外部からの接触がない場合（ステップＳ３：Ｎｏ）、レリーズボタン６ａが押下されれば（ステップＳ６：Ｙｅｓ）、撮像装置１はステップＳ１３へ進む一方、レリーズボタン６ａが押下されなければ（ステップＳ６：Ｎｏ）、撮像装置１はステップＳ１へ戻る。
【００３８】
以下、ステップＳ５で接触撮影モードに切り換えられた後の処理を説明する。顔検出部３１は、スルー画像に含まれる顔を検出する（ステップＳ７）。この際、顔検出部３１は、パターン情報記憶部１３２が記憶する顔のパターン情報を参照してパターンマッチングを行うことにより、スルー画像に含まれる顔を検出する。なお、接触撮影モードでは自分撮りを行うことが想定されるため、ステップＳ７で検出対象とする顔のパターン情報を、スルー画像中で顔の面積の占める割合が所定値以上であるものに限定してもよい。
【００３９】
顔検出部３１が所定時間内に顔を検出した場合（ステップＳ８：Ｙｅｓ）、制御部１４は顔にピントを合わせるように再調整する（ステップＳ９）。その後、報知部１０は、所定のパターンで点灯することによって撮像装置１が撮影可能状態にあることを報知する（ステップＳ１０）。一方、顔検出部３１が所定時間内に顔を検出しなかった場合（ステップＳ８：Ｎｏ）、報知部１０は、ステップＳ１０とは異なるパターンで点灯することによって撮像装置１がエラー状態にあることを報知する（ステップＳ１１）。
【００４０】
ステップＳ１０における報知部１０の報知によって撮像装置１が撮影可能状態にあることを認識した撮影者１００は、所望のタイミングでタッチパネル７への押圧を強めることによって撮影を行うこととなる。したがって、報知部１０が接触可能状態にあることを報知してから所定時間内に接触状態検出部８がタッチパネル７における接触状態の所定の変化を検出した場合（ステップＳ１２：Ｙｅｓ）、撮像部２は制御部１４の制御のもとで画像の撮影を行う（ステップＳ１３）。
【００４１】
その後、制御部１４は、撮像部２によって生成され、画像処理部３によって画像処理が施された画像データに対し、時計１１の出力を参照してデータ生成日時等の情報を付加し、画像データ記憶部１３１に記録する（ステップＳ１４）。続いて、撮影を終了する終了指示が入力ボタン６によって入力された場合（ステップＳ１５：Ｙｅｓ）、撮像装置１は一連の処理を終了する。ステップＳ１５で撮影の終了指示が入力ボタン６によって入力されない場合（ステップＳ１５：Ｎｏ）、撮像装置１はステップＳ１に戻る。
【００４２】
ステップＳ１２において報知部１０が撮影可能状態を報知してから所定時間内にタッチパネル７の接触状態が変化しなかった場合（ステップＳ１２：Ｎｏ）、モード設定部９は撮像装置１の動作モードを通常撮影モードへ切り換える（ステップＳ１６）。その後、撮像装置１はステップＳ１に戻る。撮像装置１は、ステップＳ１１で報知部１０によりエラー状態を報知した場合にもステップＳ１６へ進む。
【００４３】
なお、撮像装置１が初期状態として再生モードに設定されている場合にも、撮影者がタッチパネル７を所定時間継続して押圧することによって接触撮影モードへ移行することができるようにしてもよい。
【００４４】
また、撮像装置１に電源が入っていない状態でタッチパネル７を所定時間継続して押圧した場合、接触撮影モードに設定した状態で電源をオンするようにしてもよい。
【００４５】
また、接触撮影モードで撮像部２が撮影を行う際に補助光投射部１２が補助光を投射する場合、制御部１４が通常撮影モードの撮影時よりも補助光の光度を低くする制御を行ってもよい。
【００４６】
以上説明した本発明の実施の形態１によれば、撮像部２の光学系の一部が表出する面と反対側に位置する面に設けられた表示部４に指などを接触させることにより、その表示部４上での接触の発生領域の変化に基づいて撮影動作を行う接触撮影モードへ切り換えられるため、撮影者は表示部４に接触しさえすれば接触撮影モードへの切換を行うことができる。また、接触撮影モードでは、撮像部２を自分自身に向けた状態で表示部４における接触状態を変化させるだけで撮影を行うことができる。したがって、とっさの判断に応じて迅速かつ容易に自分撮りを行うことが可能となる。
【００４７】
また、本実施の形態１によれば、タッチパネル７の表面に指が接触していれば撮影を行うことができるため、撮像装置１の持ち方の自由度が大きく、撮影時に手ブレを生じたり撮像部２や補助光投射部１２を指などで覆ってしまうのを防止することができる。
【００４８】
また、本実施の形態１によれば、自分撮りを行う場合に撮影者が見ることのない表示部４を入力手段として有効に活用することができる。
【００４９】
また、本実施の形態１によれば、画像処理部３が顔検出部３１を有しているため、撮影者が自分撮りを行う際に顔を含まない画像を撮影するのを防止することができる。
【００５０】
なお、以上の説明では、アナログ方式のタッチパネル７を適用する場合を説明したが、上部基板に複数の帯状の透明抵抗膜を互いに平行に配設する一方、下部基板にも複数の帯状の電極を互いに平行に配設し、上部基板に設けた透明抵抗膜が延びる方向と下部基板に設けた透明抵抗膜が延びる方向とが直交するように上部基板および下部基板を配置したマトリックス方式のタッチパネルを適用することも可能である。
【００５１】
（実施の形態２）
図１４は、本発明の実施の形態２に係る撮像装置の構成を示すブロック図である。同図に示す撮像装置２１は、表示部２２の構成が撮像装置１の表示部４と異なっており、表示部２２の中に接触検知部を有している。また、撮像装置２１はタッチパネルを備えていない。これらの点を除く撮像装置２１の構成は、撮像装置１の構成と同じである。
【００５２】
図１５は、表示部２２の要部の構成を模式的に示す図である。表示部２２は、液晶、ガラス基板、カラーフィルタ、および複数の画素をそれぞれ含む複数の駆動回路を有する液晶部２２１と、液晶部２２１に対して光を照射するバックライト２２２とを備える。液晶部２２１は、複数の駆動回路の近傍にそれぞれ設けられ、バックライト２２２が発した照射光の外部からの反射光を受光する複数の光センサ２２３をさらに有する。
【００５３】
図１６は、光センサ２２３の作用を模式的に説明する図である。液晶部２２１の表面に撮影者１００の指ｆが置かれると、バックライト２２２から照射されて液晶部２２１を透過する照射光Ｌ１の一部が指ｆによって反射される。指ｆの近傍に位置する光センサ２２３は、この反射光Ｌ２を受光する。接触状態検出部８は、光センサ２２３から出力されるセンサ信号に基づいて指ｆの接触位置を検出する。このように、本実施の形態２では、複数の光センサ２２３が接触検知部の少なくとも一部の機能を具備している。
【００５４】
図１７は、撮像装置２１が接触撮影モードに設定されている場合のレリーズ信号入力前後の状況を模式的に示す図である。撮影者１００は、接触撮影モードへ移行した後、指ｆでさらに強く表示部４の表面を押圧することによってレリーズ信号を入力する。この際、指ｆの断面形状は横に広がった形状となるため、反射光Ｌ２を受光する光センサ２３の数がレリーズ信号を入力する前よりも多くなる。したがって、接触状態検出部８は、反射光Ｌ２を受光した光センサ２２３の数や位置の変化に基づいて、表示部２２における接触の発生領域の面積の増加を検出することができる。
【００５５】
本実施の形態２において、撮像装置２１が接触撮影モードによる撮影を行う場合の処理の概要は、上述した実施の形態１と同様である（図１３のフローチャートを参照）。
【００５６】
以上説明した本発明の実施の形態２によれば、撮像部２の光学系の一部が表出する面と反対側に位置する面に設けられた表示部２２に指などを接触させることにより、その表示部２２上での接触の発生領域の変化に基づいて撮影動作を行う接触撮影モードへ切り換えられるため、撮影者は表示部２２に接触しさえすれば接触撮影モードへの切換を行うことができる。また、接触撮影モードでは、撮像部２を自分自身に向けた状態で表示部２２における接触状態を変化させるだけで撮影を行うことができる。したがって、とっさの判断に応じて迅速かつ容易に自分撮りを行うことが可能となる。
【００５７】
また、本実施の形態２によれば、上記実施の形態１と同様、撮像装置１の持ち方の自由度が大きく、撮影時に手ブレを生じたり撮像部２や補助光投射部１２を指などで覆ってしまったりするのを防止することができ、表示部２２を入力手段として有効に活用することができる。また、顔検出部３１を設けたことにより、自分撮りを行う際に顔を含まない画像を撮影してしまうのを防止することができる。
【００５８】
なお、本実施の形態２において、レリーズ信号の入力態様は上述したものに限られるわけではない。以下、図１８〜図２０を参照して、レリーズ信号の別な入力態様を説明する。
【００５９】
図１８は、撮像装置２１が接触撮影モードに設定されている場合のレリーズ信号の別な入力態様（第１例）を示す図である。図１８において、撮影者１００は、２本の指ｆ１、ｆ２を離した状態で指ｆ１、ｆ２を液晶部２２１の表面に接触させることによって接触撮影モードに切り換えた後、一方の指ｆ１を他方の指ｆ２の方へ動かして二つの指ｆ１、ｆ２を接触した状態にすることによってレリーズ信号を入力する。この場合、接触状態検出部８は、表示部２２における接触の発生領域の面積の変化に加えて、その発生領域の形状の変化を検出することとなる。なお、図１８とは逆に、液晶部２２１と接触させた２本の指ｆ１、ｆ２を互いに接触させた状態から離間させることによってレリーズ信号を入力する構成としてもよい。なお、液晶部２２１の表面に接触させる指の数は３本以上でもよい。
【００６０】
図１９は、撮像装置２１が接触撮影モードに設定されている場合のレリーズ信号の別な入力態様（第２例）を示す図である。図１９において、撮影者１００は、液晶部２２１の表面に接触した２本の指ｆ１、ｆ２が液晶部２２１の高さ方向（図面の上下方向）に略平行となるように撮像装置２１を把持した後、２本の指ｆ１、ｆ２を液晶部２２１の高さ方向に沿ってへシフトさせることにより、レリーズ信号を入力する。なお、液晶部２２１の表面に接触させる指の数は２本以外でもよい。
【００６１】
図２０は、撮像装置２１が接触撮影モードに設定されている場合のレリーズ信号の別な入力態様（第３例）を示す図である。図２０において、撮影者１００は、液晶部２２１の表面に接触した２本の指ｆ１、ｆ２が液晶部２２の幅方向（図面の左右方向）に略平行となるように撮像装置２１を把持した後、２本の指ｆ１、ｆ２を液晶部２２１の幅方向に沿ってシフトさせることにより、レリーズ信号を入力する。なお、液晶部２２１の表面に接触させる指の数は２本以外でもよい。
【００６２】
図１８〜図２０を参照して説明したレリーズ信号の入力態様を適用した場合に上記実施の形態２と同様の効果が得られることは勿論である。
【００６３】
ここまで、本発明を実施するための最良の形態として実施の形態１、２を詳述してきたが、本発明はそれら２つの実施の形態によってのみ限定されるべきものではない。例えば、報知部として、接触撮影モードで撮影したことを報知するＬＥＤを別に設けてもよい。
【００６４】
また、撮像部２が撮影したことを撮影者に報知するために、撮影時にシャッター音を出力する音声出力部を設けてもよい。
【００６５】
さらに、撮影した画像をブログなどに掲載するために、撮像装置に通信部を設け、撮影済みの画像を通信ネットワークを介して送受信可能な構成としてもよい。
【図面の簡単な説明】
【００６６】
【図１】本発明の実施の形態１に係る撮像装置の構成を示すブロック図である。
【図２】本発明の実施の形態１に係る撮像装置の前面側の構成を示す斜視図である。
【図３】本発明の実施の形態１に係る撮像装置の背面側の構成を示す斜視図である。
【図４】本発明の実施の形態１に係る撮像装置のタッチパネルの要部の構成を模式的に示す図である。
【図５】本発明の実施の形態１に係る撮像装置のタッチパネルにおける接触位置の検知処理の概要を説明する図である。
【図６】本発明の実施の形態１に係る撮像装置が接触撮影モードに設定されている場合に自分撮りを行う状況を示す図である。
【図７】図６に示す状況を撮影者から見た図である。
【図８】撮影者の指がタッチパネルを押圧することによって２つの透明抵抗膜が接触した状態を示す部分断面図である。
【図９】本発明の実施の形態１に係る撮像装置が接触撮影モードに設定されている場合のレリーズ信号入力前後の状況を模式的に示す図である。
【図１０】本発明の実施の形態１に係る撮像装置が接触撮影モードに設定されている場合の別な把持態様（第１例）を示す図である。
【図１１】本発明の実施の形態１に係る撮像装置が接触撮影モードに設定されている場合の別な把持態様（第２例）を示す図である。
【図１２】本発明の実施の形態１に係る撮像装置の利点を説明する図である。
【図１３】本発明の実施の形態１に係る撮像装置が接触撮影モードによる撮影を行う場合の処理の概要を示すフローチャートである。
【図１４】本発明の実施の形態２に係る撮像装置の構成を示すブロック図である。
【図１５】本発明の実施の形態２に係る撮像装置の表示部の要部の構成を模式的に示す図である。
【図１６】光センサの作用を模式的に説明する図である。
【図１７】本発明の実施の形態２に係る撮像装置が接触撮影モードに設定されている場合のレリーズ信号入力前後の状況を模式的に示す図である。
【図１８】本発明の実施の形態２に係る撮像装置が接触撮影モードに設定されている場合のレリーズ信号の別な入力態様（第１例）を示す図である。
【図１９】本発明の実施の形態２に係る撮像装置が接触撮影モードに設定されている場合のレリーズ信号の別な入力態様（第２例）を示す図である。
【図２０】本発明の実施の形態２に係る撮像装置が接触撮影モードに設定されている場合のレリーズ信号の別な入力態様（第３例）を示す図である。
【図２１】従来の撮像装置で自分撮りを行う場合に撮像装置を把持する態様を模式的に示す図である。
【符号の説明】
【００６７】
１、２１、３０１  撮像装置
２  撮像部
３  画像処理部
４、２２  表示部
５  センサ部
６  入力ボタン
６ａ、３０２  レリーズボタン
６ｂ  十字キー
７  タッチパネル
８  接触状態検出部
９  モード設定部
１０  報知部
１１  時計
１２  補助光投射部
１３  記憶部
１４  制御部
３１  顔検出部
７１  上部基板
７２  下部基板
７３、７４  透明抵抗膜
７５  スペーサ
７６  ドットスペーサ
７７、７８  電極
１００  撮影者
１０１Ｌ  左手
１０１Ｒ  右手
１３１  画像データ記憶部
１３２  パターン情報記憶部
１３３  プログラム記憶部
２０１  電源
２０２  電圧計
２２１  液晶部
２２２  バックライト
２２３  光センサ
３０３  撮影レンズ
３０４  フラッシュ
ｆ、ｆ１、ｆ２  指
Ｌ１  照射光
Ｌ２  反射光
【図１】
2010171538.tif 000003
【図２】
2010171538.tif 000004
【図３】
2010171538.tif 000005
【図４】
2010171538.tif 000006
【図５】
2010171538.tif 000007
【図６】
2010171538.tif 000008
【図７】
2010171538.tif 000009
【図８】
2010171538.tif 000010
【図９】
2010171538.tif 000011
【図１０】
2010171538.tif 000012
【図１１】
2010171538.tif 000013
【図１２】
2010171538.tif 000014
【図１３】
2010171538.tif 000015
【図１４】
2010171538.tif 000016
【図１５】
2010171538.tif 000017
【図１６】
2010171538.tif 000018
【図１７】
2010171538.tif 000019
【図１８】
2010171538.tif 000020
【図１９】
2010171538.tif 000021
【図２０】
2010171538.tif 000022
【図２１】
2010171538.tif 000023